(57)【要約】【課題】  駐車場の運用者と利用者双方にとって、極めて有益な運用装置・方法を提供することを目的とする。【解決手段】   本発明は、出入口の側方に操作盤が設けられ、該操作盤の操作により装置内に配置された搬器が運転される機械式駐車装置において、入出庫動作開始時に予想数字を入力する入力手段と、該予想数字に対応する実際数字を表示する表示手段とを設け、該入力手段の出力と表示手段の出力とを比較する比較手段を備え、該入力手段の出力と表示手段の出力とが一致すれば、特典を与える手段を設けるものである。【選択図】        図１
2005120789.tif 000002
【特許請求の範囲】
【請求項１】
出入口の側方に操作盤が設けられ、該操作盤の操作により装置内に配置された搬器が運転される機械式駐車装置において、
入出庫動作開始時に予想数字を入力する入力手段と、該予想数字に対応する実際数字を表示する表示手段とを設け、該入力手段の出力と前記表示手段の出力とを比較する比較手段を備え、該入力手段の出力と前記表示手段の出力とが一致すれば、特典を与える手段を設けたことを特徴とする機械式駐車装置の運用装置。
【請求項２】
前記予想数字は、入庫ケージ番号であることを特徴とする請求項１に記載の機械式駐車装置の運用装置。
【請求項３】
前記予想数字は、出庫計測時間であることを特徴とする請求項１に記載の機械式駐車装置の運用装置。
【請求項４】
前記予想数字は、ルーレット番号であることを特徴とする請求項１に記載の機械式駐車装置の運用装置。
【発明の詳細な説明】
【技術分野】
【０００１】
本発明は、機械式駐車装置の利用促進を図るのに好適な運用装置・方法に関するものである。
【背景技術】
【０００２】
機械式駐車装置にはエレベータ方式や垂直循環方式など種々のものが存在するが、何れも利用者が利用する際には、入出庫時に待たされるのが常である。
【０００３】
このため、車両を入出庫処理する機械の構造・動作を外から観察できるようにして、待つ利用者をできるだけ退屈させないようにすることが提案されている。（例えば、特許文献１参照）
【特許文献１】特開２００２−３８７４８
【発明の開示】
【発明が解決しようとする課題】
【０００４】
しかし、利用者に対する単なる気晴らし程度ではあまりにも配慮が足りないと考えられ、駐車場の運用者・利用者双方にとって共に利益の得られる新たな機械式駐車装置の運用装置及び方法を工夫する必要に迫られている。
【課題を解決するための手段】
【０００５】
本発明は、出入口の側方に操作盤が設けられ、該操作盤の操作により装置内に配置された搬器が運転される機械式駐車装置において、入出庫動作開始時に予想数字を入力する入力手段と、該予想数字に対応する実際数字を表示する表示手段とを設け、該入力手段の出力と表示手段の出力とを比較する比較手段を備え、該入力手段の出力と表示手段の出力とが一致すれば、特典を与える手段を設けるものである。
【発明の効果】
【０００６】
本発明は、機械式駐車装置を利用することによって、プレミアムが得られるように工夫することによって、駐車装置の利用を促進し、その結果としてデパートを始めとする小売業の発展・繁栄を目指すものである。
【発明を実施するための最良の形態】
【０００７】
本発明は、今風に遊びの要素を取り入れてゲーム感覚で利用しうる駐車装置の運用装置・方法を提供するものである。
【実施例１】
【０００８】
以下、本発明の実施例について、図面を用いて説明する。図１は本発明の一実施例を示す正面図、図２は本発明に係る動作を示すフローチャート図、図３は本発明に係る特典付与指令装置のブロック図である。
【０００９】
図中、１は機械式駐車装置の出入口側方に設けられた操作盤で、入庫釦２と安全確認釦３とテンキーボード４と２組の数字をディジタル表示する表示器５，６などからなっている。この表示器５は入庫ケージ番号・出庫ケージ番号をそれぞれ表示し、場合に応じて後述する実際の数字を表示するもので、一方表示器６はテンキーボード４からの入力数字を表示するものである。１０は周知のルーレット、２０は表示器5の出力信号５ａと、ルーレット１０の出力信号１０ａ或いは表示器６の出力信号６ａとを比較し、一致すればそれぞれ一致信号２０ａ，２０ｂを出力する比較装置である。
【００１０】
次に、入庫動作と出庫動作の場合に分けて説明する。
図２に示すように、ステップ１において入庫釦２が操作されていれば入庫動作が始まることになり、利用者はテンキーボード４により予想する入庫ケージ番号を入力する。この時、表示器６にはこの予想ケージ番号が表示される。実際の入庫ケージについては、周知のとおり自動的に最適なケージの選択が行われ出入口に呼び寄せられて、実際の入庫ケージ番号が表示器５に表示される。ステップ２において、入庫ケージが出入口に着床すると、ステップ３において、表示器５と表示器６の番号どうしが比較され、一致すれば例えば１時間の駐車場無料券のようなプレミアムが与えられる。もし、一致しなければ、そのまま通常の利用料金を支払うことになる。
【００１１】
一方、ステップ４において出庫動作の場合（安全確認釦３が操作され、出庫ケージ番号がテンキーボード４から入力され、ＯＫ釦が押されて、出庫呼びが入れられた場合）は、先ずルーレット１０が回転し始めると同時に時間計測を開始する。そして、利用者がテンキーボード４により２桁の数字を入力する。この時、表示器６には入力された数字が表示されるが、例えば一桁目は予想する出庫動作時間（分）、二桁目はルーレット１０の予想数字などである。そして、ステップ５において出庫ケージが出入口に着床したかどうかをチェックし、着床すれば、ルーレット１０を停止させるとともに、時間計測も終了させる。この時、表示器５には四捨五入された計測時間とルーレット１０の数字が合わせて表示（一桁目は出庫計測時間、二桁目はルーレット番号）されている。そして、ステップ６において、表示器５と表示器６との数字を比較し、一致したかどうかが判定され、一致していれば、ポイント加算と言うような別の形のプレミアムを利用者に与える。もし、一致しなければ何の特典も付与されない。
【００１２】
このようにすれば、利用者には遊び心のある特典を与える一方、駐車場の運用者には利用者の増加による本業、即ち小売業の売上増しを達成すると言うような利益が得られるものである。
【００１３】
ここでの特典については、種々のものが考えられ駐車場の運営者・利用者にとって極めて有益・有利なプレミアムを適宜選択すればよい。
【産業上の利用可能性】
【００１４】
以上の説明では、小売業の駐車場の場合を例にあげて述べているが、別の業態の駐車場であってもよく、実施例に限定されないことは言うまでもない。
【図面の簡単な説明】
【００１５】
【図１】本発明の一実施例を示す正面図である。
【図２】本発明に係る動作を示すフローチャート図である。
【図３】本発明に係る特典付与指令装置のブロック図である。
【符号の説明】
【００１６】
１ 操作盤
２ 入庫釦
３ 安全確認釦
４ テンキーボード
５，６ 表示器
５ａ 表示器５の出力
６ａ 表示器６の出力
１０ ルーレット
１０ａ ルーレット１０の出力
２０ 比較装置
２０ａ，２０ｂ 比較装置２０の出力（特典付与指令）
【図１】
2005120789.tif 000003
【図２】
2005120789.tif 000004
【図３】
2005120789.tif 000005